(57)【要約】【課題】換気口の面積を箱体の奥行き方向に対応させて大きくし、換気特性の向上を図る。【解決手段】電気機器５を収納する箱体１と、箱体１の天井板の奥行き方向に設けられた開口部と、開口部を覆うように設けられた屋根２と、屋根２端からの雨水の浸入を防ぐための屋根フレーム６と、屋根フレーム６の側面の奥行き方向に設けられた換気口１０とを備えたことを特徴とする。【選択図】図１
2009017611.tif 000002
【特許請求の範囲】
【請求項１】
電気機器を収納する箱体と、
前記箱体の天井板の奥行き方向に設けられた開口部と、
前記開口部を覆うように設けられた屋根と、
前記屋根端からの雨水の浸入を防ぐための屋根フレームと、
前記屋根フレームの側面の奥行き方向に設けられた換気口と
を備えたことを特徴とする金属閉鎖形スイッチギヤ。
【請求項２】
前記箱体は、単独盤であり、
前記屋根フレームは、前記屋根の幅方向の両側に設けられ、前記屋根に連結された端部フ
レームであることを特徴とする請求項１に記載の金属閉鎖形スイッチギヤ。
【請求項３】
前記箱体は、列盤されており、
前記屋根フレームは、前記屋根間を連結する連結フレームであることを特徴とする請求項
１に記載の金属閉鎖形スイッチギヤ。
【請求項４】
前記換気口よりも高い位置に雨水が浸入しないような折り返し板を前記開口部に設けた
ことを特徴とする請求項１乃至請求項３のいずれか１項に記載の金属閉鎖形スイッチギヤ
。
【請求項５】
前記換気口にフィルタを設けたことを特徴とする請求項１乃至請求項４のいずれか１項
に記載の金属閉鎖形スイッチギヤ。
【発明の詳細な説明】
【技術分野】
【０００１】
本発明は、箱体内の換気特性を向上し得る屋外に設置される金属閉鎖形スイッチギヤに
関する。
【背景技術】
【０００２】
従来のこの種の金属閉鎖形スイッチギヤは、図６に示すように、箱体１の天井部に屋根
２が設けられ、この屋根２の正面側および背面側の庇部３の下面側に換気口４が設けられ
ている。これにより、箱体１内に収納した遮断器のような電気機器５が発熱したとき、矢
印のような空気の流れにより、温度上昇が抑制されている。なお、屋根２には、箱体１の
幅方向の両側に端部フレーム６が設けられ、また、箱体１には、奥行き方向の両側に正面
扉７、背面扉８が設けられ、電気機器５の点検などが行われている（例えば、特許文献１
参照）。
【特許文献１】特開２００３−５６８８０号公報  （第２ページ、図１）
【発明の開示】
【発明が解決しようとする課題】
【０００３】
上記の従来の金属閉鎖形スイッチギヤにおいては、次のような問題がある。換気口４の
大きさが箱体１の幅方向の寸法によって左右され、奥行き方向が増減しても、それに対応
させて換気口４の大きさを変化させることが困難であった。即ち、奥行き方向が大きくな
る場合には、電気機器５の外形形状が大型化、大容量化して発熱量が大きくなる傾向にあ
るものの、換気口４の面積が幅方向によって制約を受け、箱体１内の温度上昇を招くこと
があった。温度上昇が起きると、電気機器５の通電性能などを低下させることがある。
【０００４】
本発明は上記問題を解決するためになされたもので、換気口の面積を箱体の奥行き方向
の寸法に対応させ、換気特性を向上し得る屋外に設置される金属閉鎖形スイッチギヤを提
供することを目的とする。
【課題を解決するための手段】
【０００５】
上記目的を達成するために、本発明の金属閉鎖形スイッチギヤは、電気機器を収納する
箱体と、前記箱体の天井板の奥行き方向に設けられた開口部と、前記開口部を覆うように
設けられた屋根と、前記屋根端からの雨水の浸入を防ぐための屋根フレームと、前記屋根
フレームの側面の奥行き方向に設けられた換気口とを備えたことを特徴とする。
【発明の効果】
【０００６】
本発明によれば、箱体の天井板と側面板間の奥行き方向に開口部を設け、この開口部を
覆う屋根を連結する屋根フレームの奥行き方向の側面に換気口を設けているので、奥行き
方向の大きさに対応させて換気口の面積を大きくでき、箱体内の温度上昇を抑制すること
ができる。
【発明を実施するための最良の形態】
【０００７】
以下、図面を参照して本発明の実施例を説明する。
【実施例１】
【０００８】
先ず、本発明の実施例１に係る金属閉鎖形スイッチギヤを図１乃至図３を参照して説明
する。図１は、本発明の実施例１に係る金属閉鎖形スイッチギヤの構成を示す側面図、図
２は、本発明の実施例１に係る金属閉鎖形スイッチギヤの構成を示す正面図、図３は、本
発明の実施例１に係る金属閉鎖形スイッチギヤの構成を示す要部拡大断面図である。なお
、各図において、従来と同様の構成部分については、同一符号を付した。
【０００９】
図１、図２に示すように、箱体１の天井部には、屋根２が設けられ、屋根２の幅方向の
両側にコ字状の端部フレーム６が設けられている。端部フレーム６の奥行き方向の側面両
側には、正面側の庇部３から背面側の庇部３まで形成された長方形状の換気口１０が設け
られている。箱体１内には、遮断器のような電気機器５が収納されている。また、奥行き
方向の両側には、正面扉７、背面扉８が設けられ、電気機器５の点検などが行われている
。なお、箱体１は、単独盤となっている。
【００１０】
また、図３に示すように、箱体１の天井板１１と側面板１２間の天井板１１には、奥行
き方向に所定の間隔を保った溝状の開口部１３が設けられている。天井板１１の開口部１
３端にはコ字状の第１の折り曲げ部１４を持った第１の折り返し板１５が図示上部方向に
設けられ、側面板１２側にもコ字状の第２の折り曲げ部１６を持った第２の折り返し板１
７が図示上部方向に設けられている。第１の折り返し板１５と第２の折り返し板１７は略
平行に配置され、折り曲げ部１４、１６は互いが外向きに折り曲げられている。そして、
これらを囲むように、端部フレーム６が設けられ、屋根２と連結されている。
【００１１】
ここで、換気口１０は、折り曲げ部１４、１６よりもそれぞれ天井板１１側の低い位置
に設けられている。なお、端部フレーム６は、屋根２の端部からの雨水の浸入を防ぐもの
であり、ここでは屋根フレームと称する。
【００１２】
これにより、箱体１の奥行き方向の大きさによって開口部１３とともに、換気口１０の
大きさを変えることができ、換気する面積を可変させることができる。電気機器５が発熱
したときには、図３の矢印で示すような空気の流れになり、箱体１内の換気が行われ、温
度上昇を抑制することができる。また、第１の折り曲げ部１４と第２の折り曲げ部１６は
、換気口１０よりも高い位置にあるので、風雨などのとき、箱体１内への雨水の浸入を防
止することができる。
【００１３】
なお、換気口１０にフィルタを設ければ、箱体１内への塵埃の侵入や塩害などを防止す
ることができる。また、電気機器５の発熱量が少ないなど、大きな換気を必要としない場
合には、換気口１０を端部フレーム６の片側に設けてもよく、更には奥行き方向の長さを
短くしてもよい。
【００１４】
上記実施例１の金属閉鎖形スイッチギヤによれば、箱体１の天井板１１と側面板１２間
の奥行き方向に開口部１３を設け、この開口部１３を覆う端部フレーム６の奥行き方向の
側面に換気口１０を設けているので、奥行き方向の大きさに対応させて換気面積を可変す
ることができ、箱体１内の温度上昇を抑制することができる。
【実施例２】
【００１５】
次に、本発明の実施例２に係る金属閉鎖形スイッチギヤを図４および図５を参照して説
明する。図４は、本発明の実施例２に係る金属閉鎖形スイッチギヤの構成を示す正面図、
図５は、本発明の実施例２に係る金属閉鎖形スイッチギヤの構成を示す要部拡大断面図で
ある。なお、この実施例２が実施例１と異なる点は、箱体を列盤したことである。各図に
おいて、実施例１と同様の構成部分においては、同一符号を付し、その詳細な説明を省略
する。
【００１６】
図４に示すように、箱体１が複数列盤されており、屋根２間にはコ字状の連結フレーム
２０が設けられ、互いの屋根２が連結されている。連結フレーム２０の奥行き方向の側面
の両側には、長方形状の換気口２１が設けられている。なお、列盤された両端の箱体１に
は、実施例１と同様の端部フレーム６が設けられている。
【００１７】
連結フレーム２０内には、図５に示すように、一方の天井板２２と側面板２３間の天井
板２２に、奥行き方向に所定の間隔を保った溝状の開口部２４が設けられている。開口部
２４端には、コ字状の第３の折り曲げ部２５を持った第３の折り返し板２６が図示上部方
向に設けられている。他方の天井板２７と側面板２８間の天井板２７にも、奥行き方向に
所定の間隔を保った溝状の開口部２９が設けられている。開口部２９端には、コ字状の第
４の折り曲げ部３０を持った第４の折り返し板３１が図示上部方向に設けられている。第
３の折り返し板２６と第４の折り返し板３１は略並行に配置され、折り曲げ部２５、３０
は互いが外向きに折り曲げられている。
【００１８】
ここで、換気口２１は、折り曲げ部２５、３０よりもそれぞれ天井板２２、２７側の低
い位置に設けられている。なお、換気口２１は、電気機器５の発熱量が少ないなど、大き
な換気を必要としない場合には、連結フレーム２０の片側に設けてもよく、奥行き方向の
長さを短くしてもよい。
【００１９】
これにより、図中の矢印で示すような空気の流れになり、箱体１内の換気が行われ、温
度上昇を抑制することができる。なお、連結フレーム２０は、互いの屋根２端からの雨水
の浸入を防ぐものであり、ここでは端部フレーム６と同様に、屋根フレームと称する。
【００２０】
上記実施例２の金属閉鎖形スイッチギヤによれば、実施例１による効果のほかに、列盤
時においても連結フレーム２０に設けた換気口２１により、箱体１内の温度上昇を抑制す
ることができる。
【図面の簡単な説明】
【００２１】
【図１】本発明の実施例１に係る金属閉鎖形スイッチギヤの構成を示す側面図。
【図２】本発明の実施例１に係る金属閉鎖形スイッチギヤの構成を示す正面図。
【図３】本発明の実施例１に係る金属閉鎖形スイッチギヤの構成を示す要部拡大断面図。
【図４】本発明の実施例２に係る金属閉鎖形スイッチギヤの構成を示す正面図。
【図５】本発明の実施例２に係る金属閉鎖形スイッチギヤの構成を示す要部拡大断面図。
【図６】従来の金属閉鎖形スイッチギヤの構成を示す側面図。
【符号の説明】
【００２２】
１  箱体
２  屋根
３  庇部
４、１０、２１  換気口
５  電気機器
６  端部フレーム
７  正面扉
８  背面扉
１１、２２、２７  天井板
１２、２３、２８  側面板
１３、２４、２９  開口部
１４、１６、２５、３０  折り曲げ部
１５、１７、２６、３１  折り返し板
２０  連結フレーム
【図１】
2009017611.tif 000003
【図２】
2009017611.tif 000004
【図３】
2009017611.tif 000005
【図４】
2009017611.tif 000006
【図５】
2009017611.tif 000007
【図６】
2009017611.tif 000008